(57)【要約】【課題】    単純な構造を有し、簡易な製造技術によって製造可能な振動発生装置を得る。【解決手段】非磁性体によって製造された管体の一方の端に磁性体を嵌装し、管体内を容易に摺動可能な磁性体を振動子として同極をもって磁性体に対面させて緩挿し、他方の管端に電磁石を嵌装して、該電磁石に交流電流を通電することにより、電磁石の磁芯の磁極を交互に反転させることにより振動子の往復運動を得る。【選択図】  図１
2006021176.tif 000002
【特許請求の範囲】
【請求項１】
非磁性体によってなる管体と、
前記管体の一方の端に嵌装した磁性体と、
前記管体の内壁との間に適度な間隙を有しながら、前記磁性体と同極が対面するよう緩挿されて管内を摺動する磁性体からなる振動子と、
他方の管端に嵌装された電磁石と、
から構成され、
前記電磁石に交流電流、あるいはパルス電流を通電することにより、緩挿された振動子の吸引と反発を交互に繰り返し、
他方の嵌装された磁性体側においては、電磁石に反発した振動子を反発して押し戻すことにより、該振動子の往復運動が繰り返されりことにより、振動を発生することを特徴とする振動発生装置。
【請求項２】
請求項１記載の振動発生装置であって、管体の一端に嵌装されたに磁性体代えて、両端に電磁石を設け、異極が対面するよう交流電流あるいはパルス電流を通電するものであることを特徴とする振動発生装置。
【請求項３】
請求項１記載の振動発生装置であって、予め管体の一部に管体内を摺動する振動子の移動範囲に適度な余裕を加えた長さに相当するスリットを設け、管外の適度な重さを有する分銅と管体内の振動子とをスリットをとおして結合具によって結合し、振動子が往復運動することによって発生する慣性力を大きくして、振動エネルギーを増幅するものであることを特徴とする振動発生装置。
【請求項４】
請求項１記載の振動発生装置であって、請求項３記載の装置において、請求項２記載の装置と同様に両端を電磁石として、振動エネルギーを増幅するものであることを特徴とする振動発生装置。
【請求項５】
請求項１、請求項２、請求項３及び請求項４の装置において電磁石部の界磁コイルを管体外に、磁芯を管体内に分離して装着し、管の内径による巻線回数の制約を緩めて、より大きな振動を得るものであることを特徴とする振動発生装置。
【請求項６】
請求項１記載の振動発生装置であって、管体の一端に嵌装された磁性体、あるいは電磁石と他端に嵌装された電磁石の、それぞれの対面部に透磁性を有する緩衝材を設置し、往復運動を繰り返す振動子が磁性体又は電磁石の磁芯に直接、衝突することを防止するものであることを特徴とする振動発生装置。
【請求項７】
請求項１記載の振動発生装置であって、管体の一端に嵌装された磁性体あるいは電磁石と他端に嵌装された電磁石の、それぞれの対面部に設けた透磁性を有する緩衝材の直前部に、空気の排出、吸引を目的とした貫通穴を設けた管体を備えるものであることを特徴とする振動発生装置。
【発明の詳細な説明】
【技術分野】
【０００１】  振動発生装置に関するものである。
【背景技術】
【０００２】  従来の振動発生装置はモーターによって、偏心させた分銅つき回転軸を回転させることにより振動を発生させているが、特に小型の振動発生装置に用いられる小型モーターの製作にあたっては、界磁コイルの精密な巻線技術が必要であり、生産性を阻害し、コストアップの要因となっている。
【発明の開示】
【発明が解決しようとする課題】
【０００３】  単純な構造を有し、簡易な製造技術によっても製造可能である振動発生装置を得る。
【課題を解決するための手段】
【０００４】  非磁性体によってなる管体の一端に磁性体を嵌装し、他端に電磁石を嵌装し、あるいは、両端に電磁石を嵌装して、該電磁石に交流電流を通電することによって、管体内に緩挿した磁性体からなる振動子を作動させる。
【発明の効果】
【０００５】  少ない部品と簡易な巻線技術による単純な構造であって、微小な外形を有する製造も容易になって、狭小な空間での作動を求められる振動発生装置としての利用が考えられる。
また、電磁石に通電する電流の周波数を変更することによって、振動子の時間あたりの振動数の変更を実現する。
【発明を実施するための最良の形態】
【実施例１】
【０００６】  図１は請求項１を実現するための装置の縦断面図である。非磁性体によって製造された管体１の一方の端に磁性体２を嵌装し、該磁性体２と同極をもって対面するよう、かつ管体内面と適度な間隙を有しながら管体内を摺動する振動子として磁性体７を緩挿し、他方の管端には磁芯４、界磁コイル５、及びリード線６からなる電磁石３を嵌装して、磁性体２と磁芯４のそれぞれが対面する面には弾性を有する緩衝材８を貼り付ける。【０００７】  リード線６によって、界磁コイル５に交流電流を与えると、磁芯４の磁極が交互に入れ替わり、磁性体によってなる振動子２の吸引と反発を生じせしめる。【０００８】  前記において磁芯４の磁極に反発した磁性体によってなる振動子７はは同極をもって対面する嵌装された磁性体２に近づき、同極同士の反発と電磁石３の磁芯４における磁極の反転による吸引によって再び電磁石３側に移動する。以後、交流電流が界磁コイル５に供給されている間は、振動子７は、以上の動作を繰り返して振動を発生する。【０００９】  図２は請求項２を実現するための装置の縦断面図である。請求項１記載の管体１に一端に嵌装した磁性体２に代えて、電磁石３を両端の界磁コイル５の電流方向、すなわち磁芯４の磁極方向を同一になるように嵌装して、対面する磁極が常に異極となる状態を得る。【００１０】  図３は請求項３を実現するための装置の縦断面図である。管体１の長手方向に、振動子７の移動範囲に適度な余裕を加えた長さに相当する長さのスリット１１を設け、図５に示すがごとくスリット１１を貫通して管体外の分銅１０を結合具１２によって振動子７と結合する。【００１１】  前記において振動子７を外部の分銅１０と結合することにより、振動子７の往復運動時の慣性力が増幅され、より大きな振動エネルギーを得ることを可能にする。【００１２】  特に図示はしないが、請求項４を実現するために、図２に示した装置の管体１に図３及び図５に示すがごとく、振動子７と分銅１０を、スリット１１を通して結合具１２によって結合し、より大きな振動エネルギーを得ることを可能にする。【００１３】  図４は請求項５を実現するための装置の縦断面図である。電磁石３の磁芯４と界磁コイル５を分離して、磁芯４は管体１の内部に嵌装し、界磁コイル５は管体１の外側に覆設して、界磁コイル５の巻線回数の制約を排除して、より強力な電磁石３を確保する。【００１４】  請求項６を実現するために、図１、図２、図３、図４において弾力性を有する緩衝材９を磁性体２又は電磁石３の磁芯４部のそれぞれの対面する側に設けることにより、過剰振動等による振動音の発生を防止する。緩衝材９は振動子７の両端に設けてもよい。【００１５】  請求項７を実現するために、図１、図２、図３、図４において管体１の両端に嵌装された磁性体２又は電磁石３がそれぞれ対面する内側の直前に、振動子７の移動によって生ずる空気の加圧及び減圧を防止する目的で、それぞれに貫通穴９を設けて、加圧及び減圧による振動子７の往復運動の減速を防止する。
【産業上の利用可能性】
【００１６】  振動の大きさを、磁性体の磁力、電磁石のコイルの巻線回数、電磁石に供給する電流の強さと周波数によって調整され、構造は単純な管状であって、形状を縮小するのも容易である。また、巻線精度は低水準なもので十分対応可能であり、コストダウンが容易である。
【図面の簡単な説明】
【００１７】
【図１】  一方の管端に磁性体を、他方の管端に電磁石を嵌装した装置の縦断面図である。
【図２】  管体の両端に電磁石を嵌装した装置の縦断面図である。
【図３】  振動子に分銅を結合した装置の縦断面図である。
【図４】  電磁石の界磁コイルを管体の外側に覆設した装置の縦断面図である。
【図５】  振動子と分銅を結合した装置の横断面図である。
【符号の説明】
【００１８】        １  非磁性体によって製造された管体
２  管端に嵌装された磁性体
３  電磁石
４  磁芯
５  界磁コイル
６  リード線
７  磁性体からなる振動子
８  弾性を有する緩衝材
９  貫通穴
１０  分銅
１１  スリット
１２  結合具
【図１】
2006021176.tif 000003
【図２】
2006021176.tif 000004
【図３】
2006021176.tif 000005
【図４】
2006021176.tif 000006
【図５】
2006021176.tif 000007